(57)【要約】【課題】シャワーヘッドは水を流出すると同時に、ブラシによるブラシ洗浄機能をも備え、非常に実用的で理想的であるブラシを備えたシャワーヘッドを提供する。【解決手段】ブラシを備えたシャワーヘッドは、駆動ユニット2とブラシ体3を備え、駆動ユニット2は電力が供給されると、ブラシ31に転動作用を提供し、モーター21と数個のヘリカルギア22、或いはギアテーブル24を備え、これにより体積と厚みを縮小し、ブラシ31の転動を駆動する目的を達成する。【選択図】図３
2010104777.tif 000002
【特許請求の範囲】
【請求項１】
ブラシを備えたシャワーヘッドは、本体、駆動ユニット、ブラシ体を備え、
前記本体は、中空内部に水源を流通させることができ、
前記駆動ユニットは、前記本体内に設置し、モーター、ヘリカルギア、受動ヘリカルギア、ピニオンとギアテーブルを備え、
前記モーターの出力軸は、前記ヘリカルギアに嵌めて設置し、前記ヘリカルギアは、前記受動ヘリカルギアと噛み合い接続し、前記ヘリカルギアと前記受動ヘリカルギアの中心軸線は90度を呈し、前記受動ヘリカルギアは、軸心を備え、これにより定位され、前記受動ヘリカルギア背面には、ピニオンを連接し、
前記ブラシ体は、外側面にブラシを備え、中央には、出水口を開設し、前記ブラシ体は、適当な位置にギアテーブルを結合し、前記ギアテーブルと前記ピニオンは同一平面において噛み合うことを特徴とするブラシを備えたシャワーヘッド。
【請求項２】
前記本体は、第一殼体と第二殼体により構成し、
前記第二殼体は、収容設置部を適当に設置し、前記収容設置部には、蓄電部品、回路ユニット、パネルを設置し、前記第二殼体一端は頂点部で、環状カバーに対応して、水を流出させられ、
前記回路ユニットには、スイッチと感知部品を設置することを特徴とする請求項１に記載のブラシを備えたシャワーヘッド。
【発明の詳細な説明】
【技術分野】
【０００１】
本発明はブラシを備えたシャワーヘッドに関し、特に人体皮膚と接触式ブラシ洗浄を行なうことができるブラシを備えたシャワーヘッドに関する。
【背景技術】
【０００２】
入浴用シャワーヘッド構造は、チューブにより水道の蛇口に接続し、手で持ち易く、しかも、分流構造により、出水の強度と面積を適当に調節することができる。
そのため、世界中の大多数の人は、入浴時には、シャワーヘッドを使用して水を供給する。
【０００３】
従来のシャワーヘッドは、単一の出水機能のみを備え、入浴時には、水流を利用し、人体に対して洗い流しを行なうだけであった。
そのため、このような洗浄方法は、皮膚との間で接触式ブラシ洗浄を行なうことがなく、よって徹底的に清潔にすることができないと考える人もいる。
これにより、多くの人は、入浴用ブラシを用い接触式ブラシ洗浄を行なうが、手で入浴用ブラシを持ち、身体をブラシ洗浄する時に、さらに手でシャワーヘッドを持つのは、非常に不便である。
【０００４】
台湾では人体用入浴機に関する多くの特許が公開されているが、それら構造はコストが高く、体積が大きく、設置が面倒で、消費者の支持を得ていない。
本発明は従来のブラシを備えたシャワーヘッドの上記した欠点に鑑み、使用の利便性が高く、しかも、一般市民が受け入れ可能な価格体で、電動ブラシ体を備え、人体の接触式洗淨が可能で、次世代の生活水準に対するニーズに応えることができるシャワーヘッド構造を提供するものである。
【発明の概要】
【発明が解決しようとする課題】
【０００５】
本発明が解決しようとする課題は、電動ブラシ体を備えるシャワーヘッド構造で、既存の水源供給機能の他に、ブラシ体による接触式ブラシ洗浄機能をも兼ね備え、入浴用具の機能性向上に対する消費者ニーズを満たすことができるブラシを備えたシャワーヘッドを提供することである。
【課題を解決するための手段】
【０００６】
上記課題を解決するため、本発明は下記のブラシを備えたシャワーヘッドを提供する。
ブラシを備えたシャワーヘッドは、内部に駆動ユニットを設置し、
該駆動ユニットは、シャワーヘッド本体において露出するブラシ体の転動を連動することができ、
該シャワーヘッド内部には、蓄電部品を設置し、該シャワーヘッドを水管から取り外せば、コードを用いて充電、或いは感知式充電を行なうことができ、
該駆動ユニットは、モーターと少なくとも２個のヘリカルギアを備え、これにより、該モーターの出力軸は、該ブラシ体中心線と90度を呈し、こうして、シャワーヘッドの体積と厚みを適当な範囲に制御することができ、
該シャワーヘッドは、手動方式で起動するが、適当な位置に、感知部品を設置することもでき、これにより人体の接近を感知すると、ブラシ体の運転を自動的に起動し、或いは所定の時間運転すると自動的に停止する。
【発明の効果】
【０００７】
本発明ブラシを備えたシャワーヘッドは、水を流出すると同時に、ブラシによるブラシ洗浄機能をも備え、非常に実用的で理想的である。
【図面の簡単な説明】
【０００８】
【図１】本発明の立体分解図である。
【図２】本発明の断面構造図である。
【図３】本発明の動作状態を示す模式図である。
【発明を実施するための形態】
【０００９】
以下に図面を参照しながら本発明を実施するための最良の形態について詳細に説明する。
【実施例】
【００１０】
図１、２に示すように、本発明ブラシを備えたシャワーヘッドは、本体1、駆動ユニット2、ブラシ体3を備える。
本体1は、第一殼体11と第二殼体12により組成し、その間を水源は通ることができる。
第二殼体12は、収容設置部121を適当に設置し、収容設置部121には、蓄電部品14、回路ユニット15、パネル16を設置する。
回路ユニット15は、スイッチ17と感知部品18を設置する。
第二殼体12一端は頂点部122で、環状カバー13を対応させて、水の流出に用いる。
【００１１】
駆動ユニット2は、モーター21、ヘリカルギア22、受動ヘリカルギア23、ピニオン232、ギアテーブル24を備える。
モーター21の出力軸は、ヘリカルギア22に直接嵌めて設置する。
これにより、ヘリカルギア22は、受動ヘリカルギア23と噛み合い接続し、ヘリカルギア22と受動ヘリカルギア23との中心軸線は、90度を呈する。
受動ヘリカルギア23は、軸心231を備え、これにより軸孔230内に定位される。
受動ヘリカルギア23背面には、ピニオン232を接続し、ピニオン232とギアテーブル24は同一平面において噛み合う。
【００１２】
ブラシ体3は、外側面にブラシ31を備え、中央には、出水口32を開設する。
ブラシ体3の適当な位置には、ギアテーブル24を結合する。
【００１３】
図３に示すように、駆動ユニット2を起動すると、モーター21はヘリカルギア22の転動を連動する。
ヘリカルギア22は、受動ヘリカルギア23と噛み合うため、受動ヘリカルギア23も転動する。
こうして、さらにピニオン232の転動をも連動し、最後に、ギアテーブル24も連動される。
ブラシ体3は、ギアテーブル24と一体に接続するため、ブラシ体3もギアテーブル24により旋回を連動される。
この時、ブラシ体3が人体に接触すれば、接触ブラシ洗浄と出水の効果を同時に達成することができる。
【００１４】
上記の本発明名称と内容は、本発明技術内容の説明に用いたのみで、本発明を限定するものではない。本発明の精神に基づく等価応用或いは部品（構造）の転換、置換、数量の増減はすべて、本発明の保護範囲に含むものとする
【産業上の利用可能性】
【００１５】
本発明は特許請求の要件である新規性を備え、従来の同類製品に比べ十分な進歩を有し、実用性が高く、社会のニーズに合致しており、産業上の利用価値は非常に大きい。
【符号の説明】
【００１６】
1    本体
11   第一殼体
12   第二殼体
121  収容設置部
122  頂点部
13   環状カバー
14   蓄電部品
15   回路ユニット
16   パネル
17   スイッチ
18   感知部品
2    駆動ユニット
21   モーター
22   ヘリカルギア
23   受動ヘリカルギア
230  軸孔
231  軸心
232 
ピニオン
24   ギアテーブル
3    ブラシ体
31   ブラシ
32   出水口
【図１】
2010104777.tif 000003
【図２】
2010104777.tif 000004
【図３】
2010104777.tif 000005